(57)【要約】【課題】空気調和機の室外機において、ケーシングの側面とオリフィスの吸込み口の間にＬ字状熱交換器を入れるスペースが必要となり、コンパクト化を阻害する。さらには、熱交換器とオリフィスの間との隙間に吸込まれる空気の渦が生じ、騒音が高くなる。【解決手段】ファン３とその外周を囲うオリフィス２とＬ字状の熱交換器４を具備する空気調和機において、オリフィス２の吸込み側のカール部に、左右に鉛直方向の切欠きを有し、オリフィス２と熱交換器をより近づけ、さらに熱交換器４の前端部４Ａをオリフィス２の切り欠き部より吹出し側へ延長する。【選択図】  図６
2004150654.tif 000002
【特許請求の範囲】
【請求項１】
モータと、モータにより駆動され空気を送風するファンと、前記ファンの外周面を囲うオリフィスと、平面形状がＬ字状に形成された室外側熱交換器をケーシングに収容してなる空気調和機の室外機において、オリフィスのカール部の吸込み側部分の左右に鉛直方向に切り欠きを有することを特徴とする空気調和機の室外機。
【請求項２】
オリフィスのカール部の吸込み側と吹出し側双方の部分において、上下の両方またはどちらか一方に水平方向に切り欠きを有することを特徴とする請求項１記載の空気調和機の室外機。
【請求項３】
オリフィスを熱交換器と近接させ、その熱交換器の前端部が、オリフィス切り欠き端部に対し、オリフィスの吹き出し側に延長していることを特徴とする請求項１または請求項２記載の空気調和機の室外機。
【請求項４】
オリフィスと所定の間隔を隔てた熱交換器と、熱交換器前端部に固定され、熱交換器前端部からオリフィスの切り欠き部の吹き出し側端部まで延びるガイダーを有することを特徴とする請求項１乃至請求項３記載の空気調和機の室外機。
【発明の詳細な説明】
【０００１】
【発明の属する技術分野】
本発明は、空気調和機に使用される室外機に関し、特に騒音低下を図ることのできるオリフィスを備えた室外機に関するものである。
【０００２】
【従来の技術】
空気調和機においては、設置スペースの小さな室外機が望まれる。そのために、従来冷暖房能力が大容量でありながら、コンパクト化のためにＬ字状に曲げられた熱交換器を用いたものがあった（例えば特許文献１参照）。
【０００３】
【特許文献１】
特開２００２−２２２９６号公報（第６頁、第１図）
【０００４】
【発明が解決しようとする課題】
しかしながら、上記従来の構成では、Ｌ字状に形成された熱交換器を搭載した場合、ケーシングの側面とオリフィスの吸込み口の間には熱交換器を入れるスペースが必要となり、オリフィスの吸い込み口のカール形状部分と熱交換器の干渉を避ける必要があり、コンパクト化が図れないという課題があった。さらには、熱交換器とオリフィスの間に生ずる隙間に吸込まれる空気の流れに渦が生じ、騒音が高くなるという課題を有していた。
【０００５】
本発明はこのような従来の課題を解決するものであり、コンパクト且つ、低騒音を実現する空気調和機の室外機を提供することを目的とする。
【０００６】
【課題を解決するための手段】
上記課題を解決するために本発明は、モータと、モータにより駆動され空気を送風するファンと、前記ファンの外周面を囲うオリフィスと、平面形状がＬ字状に形成された室外側熱交換器をケーシングに収容してなる空気調和機の室外機において、オリフィスのカール部の吸込み側部分の左右に鉛直方向に切り欠きを有するもので、上記の吸込み側に切り欠きを有するオリフィスによって、Ｌ字状の平面形状に形成された室外熱交換器を搭載した場合においても、オリフィスと熱交換器を、干渉を避けつつ近づけることができ、室外機本体の横サイズのコンパクト化、または本体同サイズで送風ファンの径を大きくすることができ、さらには、切り欠き部によって、ファンに吸込まれる空気の均一化が図られ、騒音の低減が図られる。
【０００７】
また、本発明は、オリフィスのカール部の吸込み側と吹出し側双方の部分において、上下の両方またはどちらか一方に水平方向に切り欠きを有するもので、前記オリフィスのカール部の吸込み側、吹出し側双方の上下部分または一方に切り欠きを加えることによって、オリフィスと室外機本体ケースを、干渉を避けつつ近づけることができ、室外機本体の縦サイズのコンパクト化、または、本体同サイズで送風ファンの径を大きくすることができ、風量を増加させることができるという効果を奏する。
【０００８】
また、本発明は、オリフィスを熱交換器と近接させ、その熱交換器の前端部が、オリフィス切り欠き端部に対し、オリフィスの吹き出し側に延長しているもので、  前記熱交換器とオリフィスの間の隙間をなくすことができ、その隙間において発生する渦がファンに入ることにより生ずる騒音を低減できるという効果を奏する。
【０００９】
また本発明は、オリフィスと所定の間隔を隔てた熱交換器と、熱交換器前端部に固定され、熱交換器前端部からオリフィスの切り欠き部の吹き出し側端部まで延びるガイダーを有するもので、前記ガイダーによって、オリフィスと熱交換器の間に生じる隙間へ空気が流入することを防ぐことができ、隙間における渦がファンに入ることにより生ずる騒音を低減することができる。
【００１０】
【発明の実施の形態】
以下に、本発明の実施の形態について図面を参照しながら説明する。
【００１１】
（実施の形態１）
図１に本発明の第１の実施の形態に係る空気調和機の室外機ユニットの構成を示す。室外機ユニットの本体ケーシング１は、仕切り板７により圧縮機８等が設けられた機械室１０と、ファン３を用いて熱交換を行なう送風室１１とに分けられる。送風室には背面から横面に亘るＬ字状の熱交換器４および、熱交換器４の上下略中央に対向し、且つモータ５に取り付けられた送風ファン３が設けられ、さらに、送風ファン３の外周を囲むオリフィス２を有し、送風ファン３の吹出し側には吹出し口１２を有し、本体ケース１の背面および側面に吸込み口１３を有する。これらにより、吸込み口１３を有する本体ケース１から吸込まれた空気は熱交換器４を通過し、モータ５によって駆動される送風ファン３に吸込まれてオリフィス２を通り、その後、吹出し口１２から吹出し流となって室外ユニット本体ケース１の送風室の外へ吹出される。
【００１２】
このように構成された室外機において、図２は吹出し口側のケーシング１を吸込み側から見た正面図である。オリフィスの最小口径部と、最大口径部の間において、鉛直方向に切断されている。図３は図２のＶＡ−ＶＢ断面図であり、オリフィス２のカール部の縦断面図を示しており、吸込み側、吹出し側双方に湾曲しており、Ｕ字型に形成されている。一方で、図４は図２のＶＣ−ＶＤ断面図、つまり２Ａの断面図である。
【００１３】
この切り欠き部２Ａを設けることにより、室外機本体にＬ字状の熱交換器を搭載した場合に、送風ファン３と熱交換器４を互いの干渉を回避しつつ近づけることができ、本体サイズのコンパクト化、もしくは、本体サイズを変えずにファンの大口径化を図ることができる。また、図５はオリフィスとフィンを側方から見た図である。同図に示す矢印は空気の流れを表している。図５に示すように、オリフィスには切欠き部２Ａを設けているので、オリフィスへの風の通過面積が増加する。したがって、送風ファン３はより広い面積から空気を取り込むことができ、騒音の低下を図ることができる。
【００１４】
また、図６に示すように熱交換器４はオリフィス２と近接して設置されており、その前端部４Ａはオリフィス２の切り欠き部２Ａの端部に対し、吹出し側まで延びている。
【００１５】
図８に示すように熱交換器とオリフィスが離れている場合に隙間で発生する渦が送風ファンに流入することを防ぐことができ、騒音の低下を図ることができる。
【００１６】
なお、上記送風ファン３は、軸流プロペラファンについて説明したが、他のタイプのファンを用いても同様の効果を得ることができる。
【００１７】
また、熱交換器は、Ｌ字状の１列の熱交換器について説明したが、Ｌ字状の熱交換器を２列並べる場合、Ｌ字状の熱交換器の背面部のみに直状の熱交換器張り合わせた形状の熱交換器を用いた場合、あるいはＵ字状の熱交換器を用いた場合でも、同様の効果が期待できる。
【００１８】
（実施の形態２）
図９に本発明の第２の実施の形態における吹出し口側のケーシング１を吸込み側から見た正面図を示す。第１の実施の形態と同様の構成である空気調和機の室外ユニットにおいて、オリフィス２は第１の実施の形態のオリフィス２の切り欠き２Ａに加え、オリフィス２の吸い込み口、吹出し口双方のカール部の上下部分にも、切り欠き２Ａと同様の形状の水平方向に切り欠き２Ｂを付け加えたものである。図１０は図９のＶＥ−ＶＦの断面図である。
【００１９】
このような形態のオリフィス２により、オリフィス２の径の本体ケーシングに対する割合を増やすことが出来るので、室外機本体の高さを低くすることができコンパクト化を図ることができる。若しくは、室外機本体の高さを維持しながらファン３の外径を大きくすることができ、送風性能を高めることができる。なお、このような切り欠きを上または下のみに加えてもよく、同様にコンパクト化を図ることができる。
【００２０】
（実施の形態３）
図１１に本発明の第３の実施の形態に係る室外機の部分断面図を示す。第１の実施の形態同様の構成を成す空気調和機の室外機において、第１の実施の形態または第２の実施の形態に記載のオリフィス２との間に一定の隙間のある熱交換器の前端部４Ａからオリフィス２の切り欠き部２Ａの吸込み側の端まで延びるガイダー９を設ける。
【００２１】
室外機において、図８に示す熱交換器とオリフィスの間に隙間がある場合は渦によって、騒音が発生するのに対し、図９に示すようにガイダー９を設けることで熱交換器４を通過しオリフィス２に流入する空気はガイダー９の表面に沿って流れるため乱れが少なくなり、ファン３への渦の流入は無くなり、騒音は低減される。
【００２２】
【発明の効果】
以上のように、本発明は空気調和機の室外機の風の吹出し口近傍のオリフィスの形状および前記オリフィスと熱交換器の位置関係に関するもので、この構成によれば、室外機本体の省スペース化および、低騒音化を図ることができるという効果を奏する。
【図面の簡単な説明】
【図１】本発明の第１の実施の形態における空気調和機の室外機の水平断面図
【図２】図１の吹出し口側のケーシングを内側から見た図
【図３】図２のＶＡ−ＶＢ線における断面図
【図４】図２のＶＣ−ＶＤ線における断面図
【図５】オリフィス近傍の渦発生の説明図
【図６】室外機の水平断面の部分図
【図７】図１で示すオリフィスとファンの関係図
【図８】室外機の水平断面の部分図
【図９】本発明の第２の実施の形態を示すオリフィスの正面図
【図１０】図９のＶＥ−ＶＦ線における断面図
【図１１】本発明の第３の実施の形態を示す室外機の水平断面の部分図
【図１２】従来例の空気調和機の室外機の水平断面図
【符号の説明】
１  本体ケーシング
２  オリフィス
２Ａ  オリフィスの左右切り欠き部分
２Ｂ  オリフィスの上下切り欠き部分
３  送風ファン
４  熱交換器
４Ａ  熱交換器前端部
５  モータ
６  モータ台
７  仕切り板
８  圧縮機
９  ガイダー
【図１】
2004150654.tif 000003
【図２】
2004150654.tif 000004
【図３】
2004150654.tif 000005
【図４】
2004150654.tif 000006
【図５】
2004150654.tif 000007
【図６】
2004150654.tif 000008
【図７】
2004150654.tif 000009
【図８】
2004150654.tif 000010
【図９】
2004150654.tif 000011
【図１０】
2004150654.tif 000012
【図１１】
2004150654.tif 000013
【図１２】
2004150654.tif 000014